(57)【要約】【課題】登録された電話番号に市外局番が含まれていない場合でも、市外局番を検索可能とすることで、迅速に相手に電話をかけることが可能な電話装置を提供することを目的とする。【解決手段】通話したい相手の所在地を入力部１で入力し、局番検索部６が局番記憶部５から正しい市外局番を得ることができる。そして、発呼先を電話番号検索部４が電話番号記憶部３から検索し、その検索した電話番号に市外局番が含まれないと比較部７が判断した場合は、制御部８が、局番検索部６により検索した市外局番を付加して発呼先電話番号とし、この発呼先電話番号に基づいて発信部１０が発呼する。【選択図】図１
2005323154.tif 000002
【特許請求の範囲】
【請求項１】
発呼先の情報を入力する入力部と、
前記発呼先の情報と電話番号とが対に記憶されている電話番号記憶部と、
前記入力部から入力された前記発呼先の情報に基づいて前記電話番号記憶部から電話番号を検索する電話番号検索部と、
地域名と市外局番とが対に記憶されている局番記憶部と、
前記入力部から入力された地域名により前記局番記憶部から市外局番を検索する局番検索部と、
前記電話番号検索部の検索結果である電話番号に市外局番が含まれているか否かを判定する比較部と、
前記比較部により電話番号に市外局番が含まれていないと判断されると、この電話番号に前記局番検索部により検索された市外局番を付加して発呼先電話番号とする制御部と、
前記制御部により市外局番が付加された電話番号に基づいて発呼する発信部とを備えたことを特徴とする電話装置。
【請求項２】
発呼先の情報を入力する入力部と、
前記発呼先の情報と電話番号とが対に記憶されている電話番号記憶部と、
前記入力部から入力された前記発呼先の情報に基づいて前記電話番号記憶部から電話番号を検索する電話番号検索部と、
地域名と市外局番とが対に記憶されている局番記憶部と、
前記入力部から入力された地域名により前記局番記憶部から市外局番を検索する局番検索部と、
前記電話番号検索部の検索結果と前記局番検索部の検索結果とを比較する比較部と、
前記比較部により前記電話番号検索部の検索結果と前記局番検索部の検索結果とが同じ市外局番であると判断されると、前記電話番号検索部により検索された市外局番を含む電話番号を発呼先電話番号とする制御部と、
前記発呼先電話番号に基づいて発呼する発信部とを備えたことを特徴とする電話装置。
【請求項３】
発呼先の情報を入力する入力部と、
前記発呼先の情報と電話番号とが対に記憶されている電話番号記憶部と、
前記入力部から入力された前記発呼先の情報に基づいて前記電話番号記憶部から電話番号を検索する電話番号検索部と、
地域名と市外局番とが対に記憶されている局番記憶部と、
前記入力部から入力された地域名により前記局番記憶部から市外局番を検索する局番検索部と、
前記電話番号検索部の検索結果と前記局番検索部の検索結果とを比較する比較部と、前記比較部により前記電話番号検索部の検索結果と前記局番検索部の検索結果とが異なる市外局番であると判断されると、前記電話番号検索部により検索された市外局番を含む電話番号を発呼先電話番号とする制御部と、
前記発呼先電話番号に基づいて発呼する発信部とを備えたことを特徴とする電話装置。
【請求項４】
発呼先の情報を入力する入力部と、
発呼先の情報と電話番号とが対に記憶されている電話番号記憶部と、
前記入力部から入力された前記発呼先の情報に基づいて前記電話番号記憶部から電話番号を検索する電話番号検索部と、
地域名と市外局番とが対に記憶されている局番記憶部と、
前記入力部から入力された地域名により前記局番記憶部から市外局番を検索する局番検索部と、
前記電話番号検索部の検索結果と前記局番検索部の検索結果とを比較する比較部と、
前記比較部により前記電話番号検索部の検索結果と前記局番検索部の検索結果とが異なる市外局番であると判断されると、前記局番検索部により検索された市外局番と、前記電話番号検索部により検索された市外局番を除いた電話番号とを発呼先電話番号とする制御部と、
前記発呼先電話番号に基づいて発呼する発信部とを備えたことを特徴とする電話装置。
【請求項５】
発呼先の情報を入力する入力部と、
発呼先の情報と電話番号とが対に記憶されている電話番号記憶部と、
前記入力部から入力された前記発呼先情報に基づいて前記電話番号記憶部から電話番号を検索する電話番号検索部と、
地域名と市外局番とが対に記憶されている局番記憶部と、
前記入力部から入力された地域名により前記局番記憶部から市外局番を検索する局番検索部と、
前記電話番号検索部の検索結果と前記局番検索部の検索結果とに基づいた市外局番を含む電話番号を前記電話番号記憶部に登録する電話番号登録部とを備えたことを特徴とする電話装置。
【発明の詳細な説明】
【技術分野】
【０００１】
本発明は、氏名や電話番号が登録可能な電話番号帳機能を有する電話装置に関する。
【背景技術】
【０００２】
従来では、市外局番を調べる方法は電話番号帳などの電話装置以外の市外局番リストで調べなければならない。また、電話装置に記憶されている電話番号に含まれている市外局番が、登録ミスなどによって、常に正しいものとは限らず、また、市外局番を除いた電話番号が登録されていることもある。
【特許文献１】特開平８−３３５９７０号公報
【特許文献２】特開平１０−１６４２０９号公報
【特許文献３】特開２００１−６７３５２号公報
【発明の開示】
【発明が解決しようとする課題】
【０００３】
従来の電話装置では、市外の相手に電話を掛ける際に、電話装置において相手の電話番号を検索したとき、相手の電話番号に市外局番が含まれていなかったり、また、明らかに間違った市外局番であったりして、早急に相手に電話を掛けることができない。
【０００４】
そこで本発明は、登録された電話番号に市外局番が含まれていない場合でも、市外局番を検索可能とすることで、迅速に相手に電話をかけることが可能な電話装置を提供することを目的とする。
【課題を解決するための手段】
【０００５】
本発明の電話装置は、発呼先の情報を入力する入力部と、前記発呼先の情報と電話番号とが対に記憶されている電話番号記憶部と、前記入力部から入力された前記発呼先の情報に基づいて前記電話番号記憶部から電話番号を検索する電話番号検索部と、地域名と市外局番とが対に記憶されている局番記憶部と、前記入力部から入力された地域名により前記局番記憶部から市外局番を検索する局番検索部と、前記電話番号検索部の検索結果である電話番号に市外局番が含まれているか否かを判定する比較部と、前記比較部により電話番号に市外局番が含まれていないと判断されると、この電話番号に前記局番検索部により検索された市外局番を付加して発呼先電話番号とする制御部と、前記制御部により市外局番が付加された電話番号に基づいて発呼する発信部と、を備えることを特徴とする。
【発明の効果】
【０００６】
本発明の電話装置では、電話装置で市外局番が検索でき、その後の番号を直接入力するか、電話装置の電話帳機能で取得すれば、市外局番のわからない相手に電話がかけられる。
【発明を実施するための最良の形態】
【０００７】
本願の第１の発明は、発呼先の情報を入力する入力部と、発呼先の情報と電話番号とが対に記憶されている電話番号記憶部と、入力部から入力された発呼先の情報に基づいて電話番号記憶部から電話番号を検索する電話番号検索部と、地域名と市外局番とが対に記憶されている局番記憶部と、入力部から入力された地域名により局番記憶部から市外局番を検索する局番検索部と、電話番号検索部の検索結果である電話番号に市外局番が含まれているか否かを判定する比較部と、比較部により電話番号に市外局番が含まれていないと判断されると、この電話番号に局番検索部により検索された市外局番を付加して発呼先電話番号とする制御部と、制御部により市外局番が付加された電話番号に基づいて発呼する発
信部と、を備えることを特徴とする。
【０００８】
ユーザが入力部から地域名を入力することにより、局番検索部が局番記憶部から入力された地域名に基づいて市外局番を検索することができるので、市外局番が電話装置で調べることが可能である。
【０００９】
また、市外局番を含まない電話番号に市外局番を付加する制御部と発呼を行う発信部と有することにより、局番検索部で取得した市外局番を除いた電話番号を、制御部によって局番検索部で取得した市外局番に付加して発呼先電話番号とし、発信部で発呼を行うことが可能である。
【００１０】
またユーザがよく使用する電話番号を登録する電話番号部と、電話番号部から検索し該当するデータを取得する電話番号検索部を有し、電話番号検索部により電話番号記憶部から検索された市外局番を除いた電話番号と局番検索部で取得した市外局番を制御部で結合し、発信部で発呼することが可能である。
【００１１】
また、局番検索部で取得した市外局番と電話番号検索部で取得した電話番号が合成できるかを判断する比較部を有することにより、市外局番が重複して結合することがないようにすることが可能である。
【００１２】
また、局番検索部で取得した市外局番を使用し、電話番号部にない番号を作成した場合、電話番号登録部によって電話番号部に新規、または修正登録することが可能となった。
【００１３】
本願の第２の発明は、発呼先の情報を入力する入力部と、発呼先の情報と電話番号とが対に記憶されている電話番号記憶部と、入力部から入力された発呼先の情報により電話番号記憶部から電話番号を検索する電話番号検索部と、地域名と市外局番とが対に記憶されている局番記憶部と、入力部から入力された地域名により局番記憶部から市外局番を検索する局番検索部と、電話番号検索部の検索結果と局番検索部の検索結果とを比較する比較部と、比較部により電話番号検索部の検索結果と局番検索部の検索結果とが同じ市外局番であると判断されると、電話番号検索部により検索された市外局番を含む電話番号を発呼先電話番号とする制御部と、発呼先電話番号に基づいて発呼する発信部と、を備えたことを特徴とする。
【００１４】
電話番号検索部の検索結果の電話番号がすでに市外局番を有しているのに、重複して局番検索部の検索結果の市外局番を付加することがないようにすることができる。
【００１５】
本願の第３の発明は、発呼先の情報を入力する入力部と、発呼先の情報と電話番号とが対に記憶されている電話番号記憶部と、入力部から入力された発呼先の情報により電話番号記憶部から電話番号を検索する電話番号検索部と、地域名と市外局番とが対に記憶されている局番記憶部と、入力部から入力された地域名により局番記憶部から市外局番を検索する局番検索部と、電話番号検索部の検索結果と局番検索部の検索結果とを比較する比較部と、比較部により電話番号検索部の検索結果と局番検索部の検索結果とが異なる市外局番であると判断されると、電話番号検索部により検索された市外局番を含む電話番号を発呼先電話番号とする制御部と、発呼先電話番号に基づいて発呼する発呼する発信部と、を備えたことを特徴とする。
【００１６】
電話番号検索部の検索結果の電話番号に含まれる市外局番が正しいのに、間違った地域で局番検索部の検索を行った場合に、局番検索部の検索結果を破棄し、電話番号検索部の検索結果を使用し、発信部により発呼することが可能である。
【００１７】
本願の第４の発明は、発呼先の情報を入力する入力部と、発呼先の情報と電話番号とが対に記憶されている電話番号記憶部と、入力部から入力された発呼先の情報により電話番号記憶部から電話番号を検索する電話番号検索部と、地域名と市外局番とが対に記憶されている局番記憶部と、入力部から入力された地域名により局番記憶部から市外局番を検索する局番検索部と、電話番号検索部の検索結果と局番検索部の検索結果とを比較する比較部と、比較部により電話番号検索部の検索結果と局番検索部の検索結果とが異なる市外局番であると判断されると、局番検索部により検索された市外局番と、電話番号検索部により検索された市外局番を除いた電話番号とを発呼先電話番号とする制御部と、発呼先電話番号に基づいて発呼する発信部と、を備えたことを特徴とする。
【００１８】
電話番号検索部の検索結果の電話番号に含まれる市外局番が誤っている場合に、この誤っている市外局番部分を局番検索部の検索結果の市外局番を用いて発信部により発呼することが可能である。
【００１９】
本願の第５の発明は、発呼先の情報を入力する入力部と、発呼先の情報と電話番号とが対に記憶されている電話番号記憶部と、入力部から入力された発呼先情報により電話番号記憶部から電話番号を検索する電話番号検索部と、地域名と市外局番とが対に記憶されている局番記憶部と、入力部から入力された地域名により局番記憶部から市外局番を検索する局番検索部と、電話番号検索部の検索結果と局番検索部の検索結果とに基づいた市外局番を含む電話番号を電話番号記憶部に登録する電話番号登録部とを備えたことを特徴とする。
【００２０】
電話番号検索部の検索結果の電話番号と、局番検索部の検索結果の市外局番とを使用して発信部で発呼した場合、次に同じ相手先に発呼する際に、局番検索部の検索をする必要がないよう電話番号記憶部に登録することが可能である。
【００２１】
（実施の形態１）
以下、本発明の実施の形態に係る電話装置について、図１から図４に基づいて説明する。
【００２２】
図１は本発明の実施の形態１に係る電話装置の機能ブロック図、図２は本発明の実施の形態１に係る電話装置の回路ブロック図、図３は本発明の実施の形態１に係る電話装置を動作を説明するフローチャート、図４は本発明の実施の形態１に係る電話装置の表示画面を示す図である。
【００２３】
図１に示すように実施の形態１の電話装置は、ユーザが調べたい都道府県や市町村名の入力を行う入力部１と、ユーザがよく利用する電話番号や氏名を登録する電話番号登録部２と、電話番号登録部２によって登録された電話番号や氏名を記憶する電話番号記憶部３と、入力部１によって入力された氏名などで電話番号記憶部３から該当のデータを検索する電話番号検索部４と、全市外局番とその地域名を記憶する局番記憶部５と、ユーザが入力部１によって入力した地域名から該当する局番データを局番記憶部５から検索する局番検索部６と、電話番号検索部４によって取得した電話番号に市外局番が含まれているか否か、また市外局番が含まれているなら局番検索部６で取得した市外局番と一致するかを比較する比較部７と、この比較部７の比較結果に応じて市外局番を含む電話番号を発呼先電話番号として作られる制御部８と、この制御部８で作られた発呼先電話番号を表示する表示部９と、この表示部９で発呼先電話番号が表示されユーザが入力部１の発信キーを押下すると表示部９で表示された発呼先電話番号に基づいて発呼する発信部１０とを有している。
【００２４】
図２に示すように実施の形態１の電話装置は、キーボード１１と、ＬＣＤ（Ｌｉｑｕｉ
ｄ  Ｃｒｙｓｔａｌ  Ｄｉｓｐｌａｙ）１２と、中央演算装置（Ｃｅｎｔｒａｌ  Ｐｒｏｃｅｓｓｉｎｇ  Ｕｎｉｔ：ＣＰＵ）１３と、ＲＯＭ（Ｒｅａｄ  Ｏｎｌｙ  Ｍｅｍｏｒｙ）１４と、ＲＡＭ（Ｒａｎｄｏｍ  Ａｃｃｅｓｓ  Ｍｅｍｏｒｙ）１５とを備えている。
【００２５】
ここで、図１に示した入力部１はキーボード１１により、表示部９はＬＣＤ１２により、電話番号登録部２、電話番号検索部４、局番検索部６、比較部７、制御部８、発信部１０はＣＰＵ１３により、電話番号記憶部３と局番記憶部５はＲＯＭ１４およびＲＡＭ１５により、それぞれ実現される。
【００２６】
次に、上記のように構成された実施の形態１の電話装置の動作を図３及び図４に基づいて説明する。
【００２７】
先ずユーザより入力部１によって調べたい市外局番の地域名を入力し（ＳＴＥＰ１：画面１，画面２参照）、その地域の市外局番を局番記憶部５から局番検索部６によって検索を行う（ＳＴＥＰ２）。
【００２８】
制御部８により表示部９にユーザが入力部１で入力した地域名と局番検索部６による検索結果の市外局番とが表示される（ＳＴＥＰ３：画面３参照）。
【００２９】
市外局番のあとの番号は入力部１によってユーザが電話番号を入力するか、電話番号記憶部３に登録しておいた電話番号を取得するか、ユーザが入力部１によって選択する（ＳＴＥＰ４：画面４参照）。
【００３０】
入力部１によってユーザが電話番号を入力する場合は（ＳＴＥＰ５：画面５参照）、局番検索部６で取得した市外局番と入力部１によってユーザが入力した電話番号を制御部８によって自動結合し、表示部９に表示する（ＳＴＥＰ１１：画面６参照）。
【００３１】
表示部９に表示された自動結合された番号に発呼する場合（ＳＴＥＰ１７）、入力部１によってユーザが発信キーを押下すると（ＳＴＥＰ１８）、発信部１０によって発呼を行う（ＳＴＥＰ１８：画面７参照）。
【００３２】
また、市外局番を除いた電話番号を電話番号記憶部３から取得する場合（ＳＴＥＰ４：画面４参照）、ユーザが入力部１によって入力した氏名（ＳＴＥＰ６：画面８）などから、電話番号検索部４が電話番号記憶部３より該当する電話番号を取得し（ＳＴＥＰ７）表示部９に表示する（ＳＴＥＰ８）。
【００３３】
取得した電話番号がユーザに入力部１によって確定すると（ＳＴＥＰ９：画面９，画面１１，画面１３参照）、取得した電話番号に市外局番が含まれているか否かが判断される（ＳＴＥＰ１０）。
【００３４】
市外局番が含まれているならその市外局番がＳＴＥＰ３において局番検索部６によって取得した市外局番と一致しているか異なっているか（ＳＴＥＰ１２）を比較部７によって比較する。
【００３５】
ＳＴＥＰ１０にて、比較部７により、電話番号検索部４で取得した電話番号に市外局番が含まれていないと判断された場合、自動的に市外局番と電話番号とを制御部８によって結合し、表示部９に表示する（ＳＴＥＰ１１：画面１０参照）。
【００３６】
また、ＳＴＥＰ１０にて比較部７により電話番号記憶部３から電話番号検索部４で取得
した電話番号に市外局番が含まれていると判断され、ＳＴＥＰ１２にて同じ市外局番と判断された場合、局番検索部６により取得した市外局番を付けず、電話番号検索部４によって取得した市外局番とした電話番号を表示部９に表示する（ＳＴＥＰ１５：画面１１参照））。
【００３７】
また、ＳＴＥＰ１０にて比較部７により電話番号記憶部３から電話番号検索部４で取得した電話番号に市外局番が含まれていると判断され、ＳＴＥＰ１２にて異なった市外局番であると判断された場合、局番検索部６により取得した市外局番と電話番号検索部４により取得した市外局番とした電話番号の全桁を表示部９に表示する（ＳＴＥＰ１３：画面１３参照）。
【００３８】
次に、ユーザは、市外局番のみを局番検索部６により取得した市外局番と入れ換えるかを入力部１にて選択する（ＳＴＥＰ１４：画面１４参照）。
【００３９】
ＳＴＥＰ１４にて局番検索部６により取得した市外局番と入れ換えずに、電話番号検索部４で取得した市外局番と電話番号とが選択された場合は、電話番号記憶部３のデータを表示する（ＳＴＥＰ１５：画面１５参照）。入力部１によってユーザが発信キーを押下すると（ＳＴＥＰ１７）、発信部１０によって発信を行う（ＳＴＥＰ１８）。
【００４０】
ＳＴＥＰ１４にて市外局番のみを局番検索部６により取得した市外局番と入れ換えると選択された場合は、電話番号検索部４で取得した電話帳の市外局番を局番検索部６で取得した市外局番に入れ替え表示部９に表示する（ＳＴＥＰ１６：画面１０参照）
入力部１によってユーザが発信キーを押下すると（ＳＴＥＰ１７）、発信部１０によって発信を行う（ＳＴＥＰ１８：画面７参照）。
【００４１】
局番検索部６によって取得した市外局番を使用し、電話番号記憶部３と違う電話番号が作成された場合（ＳＴＥＰ１９）、発信部１０で発呼する前及び発呼した後に電話番号記憶部３に登録することをユーザが入力部１によって選択すると（ＳＴＥＰ２０）、電話番号登録部２によって電話番号記憶部３に新規または修正登録することができる（ＳＴＥＰ２１）。
【産業上の利用可能性】
【００４２】
本発明は、電話を掛ける際に、電話番号と共に市外局番などの局番を得るための技術に関するものであり、本発明の電話装置では、市外局番などの局番が検索でき、その後の番号を直接入力するか、電話装置の電話帳機能で取得すれば、市外局番のわからなかった相手先に電話がかけられる、などの利点がある。
【図面の簡単な説明】
【００４３】
【図１】本発明の実施の形態１に係る電話装置の機能ブロック図
【図２】本発明の実施の形態１に係る電話装置の回路ブロック図
【図３】本発明の実施の形態１に係る電話装置の動作を説明するフローチャート
【図４】本発明の実施の形態１に係る電話装置の表示画面を示す図
【符号の説明】
【００４４】
１    入力部
２    電話番号登録部
３    電話番号記憶部
４    電話番号検索部
５    局番記憶部
６    局番検索部
７    比較部
８    制御部
９    表示部
１０    発信部
１１    キーボード
１２    ＬＣＤ
１３    ＣＰＵ
１４    ＲＯＭ
１５    ＲＡＭ
【図１】
2005323154.tif 000003
【図２】
2005323154.tif 000004
【図３】
2005323154.tif 000005
【図４】
2005323154.tif 000006